(57)【特許請求の範囲】
【請求項１】
所定の電圧で電力を供給可能な低負荷用二次電池と、
前記低負荷用二次電池に電力を供給する発電手段と、
前記低負荷用二次電池より大電力での電力供給が可能な高負荷用二次電池と、
前記低負荷用二次電池の出力電圧と、前記高負荷用二次電池の出力電圧とを計測する電圧検出手段と、
前記発電手段及び前記低負荷用二次電池から前記高負荷用二次電池への電力供給のオンオフを切り替える第１切替手段と、
前記高負荷用二次電池による電力供給のオンオフを切り替える第２切替手段と、
前記電圧検出手段による計測結果に基づいて、前記第１切替手段及び前記第２切替手段を制御する制御手段と、
を備え、
前記制御手段は、
前記電圧検出手段により、前記低負荷用二次電池の出力電圧が予め定められた低負荷下限電圧未満であることが検出された場合には、前記第１切替手段をオフとし、
前記高負荷用二次電池の出力電圧が前記高負荷設定電圧以下に予め定められた高負荷下限電圧未満であることが前記電圧検出手段により検出された場合には、前記第２切替手段をオフとする
ことを特徴とする電源装置。
【請求項２】
前記制御手段は、
前記低負荷用二次電池の出力電圧が前記低負荷下限電圧未満であることが前記電圧検出手段により検出された場合には、当該出力電圧が前記低負荷下限電圧以上に予め定められた低負荷設定電圧以上の値になるまでの間、前記第１切替手段をオフとする
ことを特徴とする請求項１記載の電源装置。
【請求項３】
前記制御手段は、
前記高負荷用二次電池の出力電圧が前記高負荷下限電圧未満であることが前記電圧検出手段により検出された場合には、当該出力電圧が前記高負荷設定電圧以上の値になるまでの間、前記第２切替手段をオフとする
ことを特徴とする請求項１又は２記載の電源装置。
【請求項４】
前記高負荷用二次電池としては、シート状のものが用いられる
ことを特徴とする請求項１〜３の何れか一項に記載の電源装置。
【請求項５】
前記低負荷用二次電池の出力電圧をチャージポンプ回路により昇圧する昇圧手段を備える
ことを特徴とする請求項１〜４の何れか一項に記載の電源装置。
【請求項６】
前記高負荷用二次電池の出力電圧を降圧する降圧手段を備える
ことを特徴とする請求項５記載の電源装置。
【請求項７】
請求項１〜６の何れか一項に記載の電源装置と、
時刻を計数する計時手段と、
回動可能な複数の指針と、
当該複数の指針を駆動する駆動手段と、
前記高負荷用二次電池から供給される電力により所定の動作を行う付加機能部と、
を備え、
前記制御手段は、前記低負荷用二次電池から供給される電力により動作し、前記計時手段の計数する時刻データに基づいて、前記駆動手段を動作させる
ことを特徴とする電子時計。
【発明の詳細な説明】
【技術分野】
【０００１】
この発明は、複数の異なる大きさの負荷に電力供給が可能な電源回路、及び、この電源回路と付加機能とを備えた電子時計に関する。
【背景技術】
【０００２】
従来、電子腕時計といった消費電力の小さい携帯電子機器に用いられる二次電池としては、ボタン型リチウムイオン電池がある。小型のボタン型リチウムイオン電池と、太陽電池などの発電機能とを組み合わせることによって長時間の連続使用を可能としつつ、携帯電子機器のサイズの小型化を図ることができる。
【０００３】
電子腕時計には、文字盤を照らす照明機能のように、時計動作と比較して多くの電力を消費する付加機能を有するものがある。このような電子腕時計では、従来、照明を頻繁に点灯し過ぎた結果、時計動作までもが停止してしまうという問題があった。そこで、例えば、特許文献１には、２つの電池が逆流防止ダイオードを介して並列に配置され、付加機能の動作を一方の電池のみによって行わせるとともに、時計動作を行わせる他方の電池が過度に放電した場合には、当該一方の電池からも時計機能に対して電力を供給可能として安定動作させる技術が開示されている。
【０００４】
また、本願の発明に関連する技術として、特許文献２には、バッテリに２つの電気二重層コンデンサが並列に接続された携帯機器において、バッテリの出力電圧が低下した際に２つの電気二重層コンデンサを直列に繋ぎ替えて接続が可能となるように構成され、非常時に短時間の動作を可能とする技術が開示されている。
【０００５】
また、本願の発明に関連する他の技術として、特許文献３では、主電池と、バックアップ用の大容量キャパシタとを備えた携帯機器において、大容量キャパシタを充電する際に主電池の出力電圧を検出しながら充電タイミングや期間を制御する技術について開示されている。
【先行技術文献】
【特許文献】
【０００６】
【特許文献１】特開昭５３−５３３７６号公報
【特許文献２】特開２０００−６９６９１号公報
【特許文献３】特開２００７−２８７４４号公報
【発明の概要】
【発明が解決しようとする課題】
【０００７】
しかしながら、近年、携帯機器の多機能化、高機能化が進み、電子腕時計においてもＧＰＳ機能のように、時計動作に必要な電流と比較して数桁以上大きい電流を必要とする付加機能を備える場合がある。このような場合に、従来の電源構成では、たとえ短時間の利用であっても付加機能の動作により大電力が出力されると、電源からの出力電圧が低下して安定して時計動作を行うことができなくなるという課題がある。
【０００８】
この発明の目的は、負荷の小さい機能部の動作に悪影響を及ぼすことなく負荷の大きい機能を実行させることが可能な電源装置、及び、この電源装置と付加機能とを備えた電子時計を提供することにある。
【課題を解決するための手段】
【０００９】
上記目的を達成するため、本発明は、
所定の電圧で電力を供給可能な低負荷用二次電池と、
前記低負荷用二次電池に電力を供給する発電手段と、
前記低負荷用二次電池より大電力での電力供給が可能な高負荷用二次電池と、
前記低負荷用二次電池の出力電圧と、前記高負荷用二次電池の出力電圧とを計測する電圧検出手段と、
前記発電手段及び前記低負荷用二次電池から前記高負荷用二次電池への電力供給のオンオフを切り替える第１切替手段と、
前記高負荷用二次電池による電力供給のオンオフを切り替える第２切替手段と、
前記電圧検出手段による計測結果に基づいて、前記第１切替手段及び前記第２切替手段を制御する制御手段と、
を備え、
前記制御手段は、
前記電圧検出手段により、前記低負荷用二次電池の出力電圧が予め定められた低負荷下限電圧未満であることが検出された場合には、前記第１切替手段をオフとし、
前記高負荷用二次電池の出力電圧が前記高負荷設定電圧以下に予め定められた高負荷下限電圧未満であることが前記電圧検出手段により検出された場合には、前記第２切替手段をオフとする
ことを特徴とする電源装置である。
【発明の効果】
【００１０】
本発明に従うと、電源装置、及び、この電源装置を備えた電子時計において、負荷の小さい機能部の動作に悪影響を及ぼすことなく負荷の大きい機能を実行させることが可能になるという効果がある。
【図面の簡単な説明】
【００１１】
【図１】本発明の電源装置の実施形態である電源部を備えた電子時計の構成を示すブロック図である。
【図２】電源部の回路構成を示す図である。
【図３】電圧変換回路の具体例その１を示す回路図である。
【図４】電圧変換回路の具体例その１におけるスイッチ切替手順と電圧変化とを示した図である。
【図５】電圧変換回路の具体例その２を示す回路図である。
【図６】電圧変換回路の具体例その２におけるスイッチ切替手順と電圧変化とを示した図である。
【図７】二次電池における電圧変化の具体例を示す図である。
【図８】電源部におけるスイッチのオンオフ制御パターンを示す図表である。
【図９】時計制御部のＣＰＵによる電源部のスイッチ制御手順を示すフローチャートである。
【発明を実施するための形態】
【００１２】
以下、本発明の実施の形態を図面に基づいて説明する。
【００１３】
図１は、本発明の電源装置の実施形態である電源部を含む電子時計の構成を示すブロック図である。
【００１４】
この電子時計１００は、発振回路１０１と、分周回路１０２と、計時回路１０３（計時手段）と、制御手段としてのＬＳＩ（Large Scale Integration、時計制御部）１０４と、駆動部１０５（駆動手段）と、輪列機構１０６と、指針１０７と、操作部１０８と、付加機能部１０９と、電源部１１０（電源装置）などを備えている。
【００１５】
発振回路１０１は、所定の周波数のクロック信号を発振する回路であり、例えば、水晶発振回路である。分周回路１０２は、発振回路１０１から入力された所定の周波数の信号を分周して、計時回路１０３やＬＳＩ１０４が使用する周波数の信号に変換する回路である。計時回路１０３は、分周回路１０２から入力した信号に基づいて時刻を計数し、時刻データをＬＳＩ１０４へ出力する。
【００１６】
駆動部１０５は、ステッピングモータを備え、ＬＳＩ１０４から入力される指針駆動制御信号に基づいてこのステッピングモータを動作させる。輪列機構１０６は、駆動部１０５の動作に基づいて指針を所定の角度ずつ回転させる複数の歯車によって構成されている。指針１０７は、時刻を表示するための、時針、分針、および、秒針を含み、回転動作が可能に構成されている。指針１０７には、他の機能針が含まれていてもよいし、秒針がなくてもよい。また、駆動部１０５、および、輪列機構１０６は、異なる指針に対してそれぞれ独立に設けられていても良いし、秒針のみが独立の駆動部１０５および輪列機構１０６によって回転駆動されるものとしてもよい。
【００１７】
操作部１０８は、例えば、電子時計１００の側面部に備えられたボタンによるユーザ操作に基づいてアラームの設定や付加機能部１０９への付加機能の実行命令を入力信号に変換し、ＬＳＩ１０４へ送信する。
【００１８】
ＬＳＩ（時計制御部）１０４は、種々の演算処理や時計機能の制御統括を行うＣＰＵ（Central Processing Unit）、ＣＰＵに作業用メモリ空間を提供するＲＡＭ（Random Access Memory）、および、各種実行プログラムや初期データを格納するＲＯＭ（Read Only Memory）を備える。このＬＳＩ１０４は、電源部１１０から継続的に電力の供給を受けて、計時回路１０３から入力される時刻信号に基づいて駆動部１０５へ指針を動作させるタイミングで指針駆動制御信号を出力する。また、このＬＳＩ（時計制御部）１０４は、電源部１１０から入力される出力電圧情報に基づいて電源部１１０に含まれるスイッチの切替動作を制御する。ＬＳＩ１０４による電源部１１０のスイッチ切替制御処理に関しては、後に詳述する。
【００１９】
付加機能部１０９は、電源部１１０から電力が供給されている場合に、時計動作以外の付加的な機能の動作処理を行う。この動作処理は、例えば、文字盤を照らす照明機能や、ＧＰＳ（Global Positioning System）を利用した測位機能の動作処理である。付加機能部１０９は、ＬＳＩ１０４とは独立に別個のＣＰＵやＲＡＭを備えることとしてもよい。なお、ＬＳＩ１０４による時計機能動作や付加機能部１０９の動作に関して必要な場合には、液晶表示部といったデジタル表示部を備えることとして、ＬＳＩ１０４、および／又は、付加機能部１０９からの制御信号に基づいて情報を表示させてもよい。
【００２０】
電源部１１０は、発電した電力を蓄えるとともに、ＬＳＩ１０４および付加機能部１０９に対してそれぞれ電力を供給する。
【００２１】
図２は、電源部１１０の電源回路を示した回路図である。
【００２２】
電源部１１０は、発電手段としてのソーラセル１１と、逆流防止ダイオードＤ１と、２個の二次電池Ｂ１、Ｂ２（低負荷用二次電池、高負荷用二次電池）と、電圧検出手段としてのＢＬＤ（Battery Level Detector）１２、１３と、２つのスイッチＳＷ１、ＳＷ２（第１切替手段、第２切替手段）と、２つの電圧変換部１４、１５（昇圧手段、降圧手段）とを含み、ＬＳＩ１０４および付加機能部１０９に電力を供給している。
【００２３】
ソーラセル１１は、太陽光や照明からの光を受けて入射光を電気に変換することで発電する。このソーラセル１１は、逆流防止ダイオードＤ１を介してＬＳＩ１０４、二次電池Ｂ１、および、スイッチＳＷ１と接続されている。逆流防止ダイオードＤ１は、ソーラセル１１へ電流が逆流するのを防止するためのダイオードである。従って、ソーラセル１１の出力電圧（起電力）が二次電池Ｂ１の出力電圧ＶＢ１より高い場合には、ソーラセル１１から二次電池Ｂ１に電力が供給される。
【００２４】
二次電池Ｂ１、Ｂ２は、化学反応を用いて電力を蓄えたり、放電したりするものである。二次電池Ｂ１は、ソーラセル１１から供給されて蓄えられた電力をＬＳＩ１０４へ継続的に供給する。この二次電池Ｂ１は、駆動部１０５におけるステッピングモータの動作、計時動作、及び、時計機能全体の統括制御に必要な所定の電圧ＶＢ１（例えば、２．３Ｖ）で低電流（数μＡ程度）の電力を持続的に出力可能な電池であり、例えば、直径９．５ｍｍ径のボタン型リチウムイオン電池である。また、二次電池Ｂ１は、スイッチＳＷ１および電圧変換部１４を介して二次電池Ｂ２と接続されている。スイッチＳＷ１がオンの期間に二次電池Ｂ１から供給された電力が電圧変換部１４で電圧変換されて、二次電池Ｂ２に供給される。
【００２５】
二次電池Ｂ２には、スイッチＳＷ１がオンの期間に二次電池Ｂ１から供給された電力が蓄えられる。また、二次電池Ｂ２は、スイッチＳＷ２および電圧変換部１５を介して付加機能部１０９と接続されており、スイッチＳＷ２がオンの期間に付加機能部１０９へ電力を供給する。この二次電池Ｂ２は、負荷の大きな付加機能部１０９の動作を短時間（例えば、数十分）実行可能なものであり、例えば、固体電解質を含むシート状電池（ペーパー電池）である。固体電解質としては、コバルト酸リチウムが好ましく用いられる。このシート状電池は、例えば、電子時計の裏蓋に塗布されて配置される。このようなシート状電池を充電した際の公称電圧は、例えば、４．１Ｖである。
【００２６】
ＢＬＤ１２は、二次電池Ｂ１と並列に設けられている。このＢＬＤ１２は、二次電池Ｂ１の出力電圧ＶＢ１と、予め定められた設定電圧とを比較し、比較結果を表す信号をＬＳＩ１０４へ継続的に出力している。本実施形態の電源部１１０では、ＬＳＩ１０４を安定的に動作させるのに必要な動作下限電圧より高い下限設定電圧Ｖ１Ｌ、および、二次電池Ｂ１のフル充電電圧を超えない電圧レベルを示す充電設定電圧Ｖ１Ｈの２つの設定電圧が設けられ、出力電圧ＶＢ１と比較されてそれぞれ比較結果が出力されている。この電圧比較には、例えば、コンパレータが用いられる。なお、出力信号は、２つの比較結果をまとめて３レベルの１つの信号としてもよい。また、比較結果ではなく、電圧値のデータ自体をＬＳＩ１０４に送信することも可能である。二次電池Ｂ１に対しては、並列にキャパシタＣ１が接続されている（図３、図５参照）。このキャパシタＣ１は、二次電池Ｂ１のバックアップに用いられる蓄電手段であり、二次電池Ｂ１からの出力が急激に増加した際に、二次電池Ｂ１に過負荷がかかるのを防ぐためのものである。
【００２７】
ＢＬＤ１３は、二次電池Ｂ２と並列に設けられている。このＢＬＤ１３は、二次電池Ｂ２の出力電圧ＶＢ２と、予め定められた設定電圧とを比較し、比較結果を表す信号をＬＳＩ１０４へ継続的に出力している。本実施形態の電源部１１０では、付加機能部１０９の動作において要求される電圧レベルである下限設定電圧Ｖ２Ｌ、および、二次電池Ｂ２のフル充電電圧を超えない充電設定電圧Ｖ２Ｈの２つの設定電圧が設けられ、出力電圧ＶＢ２と比較されてそれぞれ比較結果が出力されている。前者の下限設定電圧Ｖ２Ｌが示す動作要求電圧レベルは、例えば、ＧＰＳ受信部を動作させてＧＰＳ衛星からの電波を受信し、受信データに基づいて現在位置を求める演算処理を終了するまでの処理を所定回数実行する間に亘り、必要な電圧を継続的に供給可能なレベルである。この電圧比較には、例えば、コンパレータが用いられる。なお、出力信号は、２つの比較結果をまとめて３レベルの１つの信号としてもよい。
【００２８】
電圧変換部１４は、入力側がスイッチＳＷ１を介して二次電池Ｂ１に接続され、また、出力側が二次電池Ｂ２に接続されている。電圧変換部１４は、スイッチＳＷ１がオンされている期間に二次電池Ｂ１から入力された電圧ＶＢ１を上昇させて（例えば、４．６Ｖ）二次電池Ｂ２へ出力する。昇圧方法に関しては、後に詳述する。
【００２９】
電圧変換部１５は、スイッチＳＷ２がオンの期間に二次電池Ｂ２から出力される電力を付加機能部１０９の動作電圧に降圧して（例えば、２．５Ｖ）、付加機能部１０９へ供給する。この電圧変換部１５は、例えば、スイッチング素子を用いたＤＣ−ＤＣコンバータである。電圧変換部１５内または電源部１１０の各所には、必要に応じてＤＣ−ＤＣコンバータから発生するノイズの除去を行うフィルタが設けられる。
【００３０】
次に、電圧変換部１４の回路構成について説明する。
【００３１】
この電圧変換部１４には、チャージポンプ回路が用いられる。
【００３２】
図３は、電圧変換部１４の具体例その１の回路構成を説明する図である。
【００３３】
この電圧変換部１４の具体例その１には、キャパシタＣ１、Ｃ２、および、スイッチＳＷ３〜ＳＷ６が含まれている。抵抗Ｒ３〜Ｒ６は、それぞれ、スイッチＳＷ３〜ＳＷ６の内部抵抗（スイッチ抵抗）であり、例えば、約１０Ωである。スイッチＳＷ３〜ＳＷ６は、ＬＳＩ１０４からスイッチ制御信号が送られることでそれぞれ切り替え制御される。図３に示すスイッチＳＷ３〜ＳＷ６の状態は、何れも、スイッチ制御信号としてローレベル信号が入力されているときの状態である。この状態でスイッチＳＷ１がオンされると、二次電池Ｂ１から抵抗Ｒ３、スイッチＳＷ３、スイッチＳＷ６、および、抵抗Ｒ６を介してキャパシタＣ２へ電力が供給される。また、キャパシタＣ２の他端は、抵抗Ｒ５、スイッチＳＷ５、抵抗Ｒ４、および、スイッチＳＷ４を介して接地されている。キャパシタＣ２の静電容量は、例えば、１μＦであり、二次電池Ｂ１、Ｂ２の電気容量に比して十分小さい。
【００３４】
図４は、スイッチＳＷ３〜ＳＷ６に送られるスイッチ制御信号の切り替え手順と、二次電池Ｂ１、Ｂ２から出力される電圧の変化とを示した図である。
【００３５】
先ず、スイッチＳＷ３〜ＳＷ６へ入力されているスイッチ制御信号が何れもローレベルの状態でスイッチＳＷ１がオンされると、二次電池Ｂ１によりキャパシタＣ２に蓄電される（図４の期間（ａ））。キャパシタＣ２にかかる電圧は、キャパシタＣ２の静電容量と抵抗Ｒ３〜Ｒ６の抵抗値とで決定される時定数に基づく時間の経過に従って二次電池Ｂ１の出力電圧ＶＢ１に漸近する。この時定数に基づいてキャパシタＣ２に電力が蓄積された後に、スイッチＳＷ３、ＳＷ４へ入力されるスイッチ制御信号が順番にハイレベルへと切り替えられると、キャパシタＣ２は、先ず、二次電池Ｂ１から切り離され、次いで、接地から切り離される。それから、スイッチＳＷ５にハイレベル信号が送られることでキャパシタＣ２が二次電池Ｂ１と直列に接続され、キャパシタＣ２の正極側の電位は、キャパシタＣ２の電圧と二次電池Ｂ１の出力電圧ＶＢ１との和に上昇する（図４の期間（ｂ））。
【００３６】
スイッチＳＷ６へ入力されるスイッチ制御信号がローレベルからハイレベルに切り替わると、直列に接続された二次電池Ｂ１およびキャパシタＣ２と、二次電池Ｂ２とが並列に接続された形になり、キャパシタＣ２の正極側の電位と二次電池Ｂ２の出力電圧ＶＢ２との電位差に基づいて電流が流れて二次電池Ｂ２へ電力が供給される。スイッチＳＷ６が切り替わる瞬間に、二次電池Ｂ２の正極側の電位は、キャパシタＣ２の正極側の電位にまで上昇するが、キャパシタＣ２と二次電池Ｂ２との間を流れる電流によりキャパシタＣ２の正極側の電位と二次電池Ｂ２の正極側の電位とは、等しくなる。ここで、等しくなった電位は、二次電池Ｂ１およびキャパシタＣ２と、二次電池Ｂ２とが並列に接続される前における二次電池Ｂ２の出力電圧よりも僅かに上昇している（図４の期間（ｃ））。
【００３７】
キャパシタＣ２の正極側と二次電池Ｂ２の正極側との間に電位差がなくなった後、二次電池Ｂ１およびキャパシタＣ２と、二次電池Ｂ２とを並列に接続した際と逆の順番でスイッチＳＷ３〜ＳＷ６に入力されるスイッチ制御信号がハイレベルからローレベルへ切り替えられる。即ち、先ず、スイッチＳＷ６へ入力されるスイッチ制御信号がハイレベルからローレベルに切り替わってキャパシタＣ２の正極側と二次電池Ｂ２の正極側とが切り離される。続いて、スイッチＳＷ５へ入力されるスイッチ制御信号がローレベルに切り替わると、キャパシタＣ２と二次電池Ｂ１との直列接続が切り離される。次に、スイッチＳＷ４、ＳＷ３へ入力されるスイッチ制御信号が順番にローレベルに切り替わると、キャパシタＣ２が接地された後に、キャパシタＣ２と二次電池Ｂ１とが並列に接続される（図４の期間（ｄ））。この繋ぎ替えにより、二次電池Ｂ２への電力供給によって電圧が低下したキャパシタＣ２に対し、二次電池Ｂ１から再び電力が供給される。このとき、二次電池Ｂ１の正極側とキャパシタＣ２の正極側との間での電位差と、この電位差に伴いキャパシタＣ２へ流れる電流とにより、二次電池Ｂ１の出力電圧が一時的に低下するが、キャパシタＣ２が充電されるに従って二次電池Ｂ１の出力電圧ＶＢ１は回復する。ここで、二次電池Ｂ１にソーラセル１１からの充電がない場合には、回復後の二次電池Ｂ１の出力電圧ＶＢ１は、キャパシタＣ２との並列接続がなされる以前と比較して僅かに低下する（図４の期間（ｅ））。
【００３８】
なお、図４の期間（ｂ）、（ｄ）においてスイッチＳＷ３〜ＳＷ６をそれぞれ切り替える間隔は、適宜設定され、例えば、順番が入れ替わらない限りにおいてほぼ同時に行うことができる。
【００３９】
このようなキャパシタＣ２と二次電池Ｂ１、Ｂ２との間での接続の切り替え動作をスイッチＳＷ１がオンされている間に亘って繰り返す（図４の期間（ｆ）〜（ｉ））ことで、キャパシタＣ２を介して二次電池Ｂ１から二次電池Ｂ２に徐々に電力が供給され、二次電池Ｂ１の電圧ＶＢ１が下降していくとともに二次電池Ｂ２の電圧ＶＢ２が上昇していく。
【００４０】
図５は、電圧変換部の具体例その２の回路構成を説明する図である。また、図６は、この電圧変換部の具体例その２において、スイッチＳＷ３〜ＳＷ５に送られるスイッチ制御信号の切り替え手順と、二次電池Ｂ１、Ｂ２から出力される電圧の変化とを示した図である。
【００４１】
図５に示すように、この電圧変換部１４には、３個のスイッチＳＷ３〜ＳＷ５と、２個のキャパシタＣ２、Ｃ３とが含まれている。また、３個の抵抗Ｒ３〜Ｒ５は、それぞれ、スイッチＳＷ３〜ＳＷ５のスイッチ抵抗であり、更に、抵抗Ｒ２が含まれている。また、キャパシタＣ１は、二次電池Ｂ１へ過負荷がかかるのを防ぐバックアップ用蓄電手段である。図５に示されているスイッチＳＷ３〜ＳＷ５の状態は、何れも、ＬＳＩ１０４からローレベル信号が入力されているときの状態を示している。
【００４２】
この電圧変換部１４のチャージポンプ回路における各スイッチＳＷ３〜ＳＷ５は、図６に示すように動作する。即ち、スイッチＳＷ３〜ＳＷ５に入力されるスイッチ制御信号が何れもローレベルであるときに、スイッチＳＷ１がオンされると、二次電池Ｂ１に対してスイッチＳＷ４、ＳＷ５を介してキャパシタＣ２、Ｃ３がそれぞれ並列に接続されることで、キャパシタＣ２、Ｃ３が充電される。また、キャパシタＣ２の他端は、スイッチＳＷ３を介して接地されており、キャパシタＣ３の他端は、抵抗Ｒ２を介して接地されている（図６の期間（ａ））。
【００４３】
次に、キャパシタＣ２、Ｃ３に蓄電された状態で、スイッチＳＷ３〜ＳＷ５の切り替え動作を順番に行う。先ず、スイッチＳＷ３に入力させるスイッチ制御信号をハイレベルに切り替えることで、キャパシタＣ２が接地から切り離されてフローティング状態になる。次いで、スイッチＳＷ４に入力させるスイッチ制御信号をハイレベルに切り替えることで、キャパシタＣ２が二次電池Ｂ２に接続される（図６の期間（ｂ））。
【００４４】
最後に、スイッチＳＷ５に入力させるスイッチ制御信号をハイレベルに切り替えることで、キャパシタＣ３とキャパシタＣ２とが直列に接続され、キャパシタＣ２の正極側の電位は、キャパシタＣ２にかかる電圧とキャパシタＣ３にかかる電圧とが加算された値に上昇する。例えば、二次電池Ｂ１の出力電圧ＶＢ１とキャパシタＣ２、Ｃ３にかかる電圧とが等しい状態でキャパシタＣ２、Ｃ３を直列に接続した際のキャパシタＣ２の正極側の電位は、二次電池Ｂ１の出力電圧ＶＢ１の二倍の値となる。そして、直列に接続されたキャパシタＣ２、Ｃ３から二次電池Ｂ２に電力が供給される。このとき、キャパシタＣ２とキャパシタＣ３とが直列に接続された瞬間に二次電池Ｂ２の正極側電位が上昇するが、キャパシタＣ２の静電容量、スイッチ抵抗Ｒ４の抵抗値、および、二次電池Ｂ２の内部抵抗により定まる時定数に基づいてキャパシタＣ２、Ｃ３から二次電池Ｂ２へ向かう方向に電流が流れることで、キャパシタＣ２の正極側と二次電池Ｂ２の正極側との間の電位差は、やがてゼロとなる。このときの二次電池Ｂ２の出力電圧ＶＢ２は、キャパシタＣ２から供給された電力量に従って、キャパシタＣ２と接続される前の電圧と比較して僅かに上昇している（図６の期間（ｃ））。
【００４５】
キャパシタＣ２の正極側の電位と二次電池Ｂ２の正極側の電位とがほぼ等しくなった後に、スイッチＳＷ３〜ＳＷ５は、直列に接続されたキャパシタＣ２、Ｃ３と、二次電池Ｂ２とが並列に接続されたときと逆の順番で切り替えられる。そして、キャパシタＣ２、Ｃ３は、二次電池Ｂ１と並列に接続された状態に戻される（図６の期間（ｄ））。
【００４６】
図６の期間（ｄ）において、スイッチＳＷ５、ＳＷ４に入力されるスイッチ制御信号が順番にローレベルに切り替えられ、キャパシタＣ２、Ｃ３が二次電池Ｂ１に接続されるタイミングで、二次電池Ｂ１の出力電圧ＶＢ１は、二次電池Ｂ１からキャパシタＣ２、Ｃ３に電流が流れることでそれぞれ一瞬低下する。その後、二次電池Ｂ１とキャパシタＣ２、Ｃ３との間の電位差はゼロに収束する。それから、スイッチＳＷ３に入力されるスイッチ制御信号がローレベルに切り替えられて、キャパシタＣ２が接地される。このときの二次電池Ｂ１の出力電圧ＶＢ１は、ソーラセル１１から二次電池Ｂ１への電力供給がない場合には、スイッチＳＷ５がローレベルに切り替えられて二次電池Ｂ１がキャパシタＣ３と接続される前の出力電圧と比べて僅かに低下している。
【００４７】
スイッチＳＷ１がオンされている間、上記のキャパシタＣ２、Ｃ３と、二次電池Ｂ１、Ｂ２との繋ぎ替えの動作を繰り返すことで、徐々に二次電池Ｂ２の出力電圧ＶＢ２が上昇していくとともに、二次電池Ｂ１の出力電圧ＶＢ１が徐々に低下していく（図６の期間（ｆ）〜（ｉ））。
【００４８】
なお、この電圧変換部１４の具体例その２におけるスイッチ切り替え動作（図６の期間（ｂ）、（ｄ））では、切り替えの順序が入れ替わらない範囲において、各切り替えの動作の間隔を変更することができる。
【００４９】
次に、二次電池Ｂ２の充電期間および付加機能部１０９の動作可能期間の設定について説明する。
【００５０】
図７は、二次電池Ｂ２の充電期間における二次電池Ｂ１の電圧変化を示す模式図である。
【００５１】
二次電池Ｂ２の充電の可否および付加機能部１０９の動作の可否は、ＢＬＤ１２、１３の出力信号に基づき、ＬＳＩ１０４がスイッチＳＷ１、ＳＷ２を動作させることによって設定される。
【００５２】
ソーラセル１１から二次電池Ｂ１への電力供給が二次電池Ｂ１から二次電池Ｂ２への電力供給に比べて遅い場合や、ソーラセル１１から二次電池Ｂ１への電力供給が全く行われていない場合には、図７に示すように、スイッチＳＷ１がオンのまま二次電池Ｂ１から電圧変換部１４を介した二次電池Ｂ２への充電動作が繰り返されると、二次電池Ｂ１の出力電圧ＶＢ１は、図４（ｅ）、図６（ｄ）で示した短い電圧降下を繰り返しながら徐々に低下していく。そして、二次電池Ｂ１の出力電圧ＶＢ１が下限設定電圧Ｖ１Ｌ未満となった場合には、二次電池Ｂ１に並列に接続されたＢＬＤ１２からＬＳＩ１０４に出力される電圧比較結果を示す信号が変化する。ＬＳＩ１０４は、このＢＬＤ１２からの入力信号に基づきスイッチＳＷ１をオフさせることで、二次電池Ｂ１による二次電池Ｂ２の充電動作を中止させる。二次電池Ｂ１がソーラセル１１により充電されて出力電圧ＶＢ１が徐々に回復すると、先ず、二次電池Ｂ１の出力電圧ＶＢ１は、下限設定電圧Ｖ１Ｌ以上となり、最終的に二次電池Ｂ１の充電設定電圧Ｖ１Ｈ以上となる。ＬＳＩ１０４は、二次電池Ｂ１の出力電圧ＶＢ１が充電設定電圧Ｖ１Ｈ以上であることを示すＢＬＤ１２からの信号に基づいて再びスイッチＳＷ１をオンさせることで、二次電池Ｂ２の充電動作を再開させる。或いは、二次電池Ｂ２の充電動作を再開させるタイミングは、充電設定電圧Ｖ１Ｈとの比較ではなく、この充電設定電圧Ｖ１Ｈより低く、下限設定電圧Ｖ１Ｌ以上の設定電圧Ｖ１Ｍとすることとしてもよい。
【００５３】
同様に、ＬＳＩ１０４から入力されたスイッチ制御信号に基づいてスイッチＳＷ２がオンされている状態で付加機能部１０９が動作すると、二次電池Ｂ２から付加機能部１０９に電力が供給されて、二次電池Ｂ２の出力電圧ＶＢ２は、徐々に低下していく。そして、出力電圧ＶＢ２が下限設定電圧Ｖ２Ｌ未満にまで低下したことがＢＬＤ１３によって検出されると、ＢＬＤ１３からＬＳＩ１０４に入力される信号に基づいて、ＬＳＩ１０４は、スイッチＳＷ２をオフとするスイッチ制御信号を送る。そして、スイッチＳＷ２がオフされることで付加機能部１０９の動作が禁止される。このとき、二次電池Ｂ１の出力電圧ＶＢ１が充電設定電圧Ｖ１Ｈ以上の電圧を計測してから下限設定電圧Ｖ１Ｌ未満の電圧を計測するまでの間の状態である場合には、ＬＳＩ１０４は、スイッチＳＷ１をオンすることによって二次電池Ｂ２の充電を行わせる。そして、二次電池Ｂ２の出力電圧ＶＢ２は徐々に上昇する。二次電池Ｂ２の出力電圧ＶＢ２が下限設定電圧Ｖ２Ｌ以上となり、最終的に二次電池Ｂ２の充電設定電圧Ｖ２Ｈ以上まで回復すると、二次電池Ｂ２の出力電圧ＶＢ２が充電設定電圧Ｖ２Ｈ以上であることを示すＢＬＤ１３からの信号がＬＳＩ１０４に入力される。そして、ＬＳＩ１０４は、この入力信号に基づいて、再びスイッチＳＷ２をオンするスイッチ制御信号を出力する。これにより付加機能部１０９の動作が許可される。このとき、スイッチＳＷ２をオンする設定電圧としては、充電設定電圧Ｖ２Ｈではなく、充電設定電圧Ｖ２Ｈより低く、下限設定電圧Ｖ２Ｌ以上の設定電圧Ｖ２Ｍとしてもよい。
【００５４】
図８は、ＢＬＤ１２、１３により検出された二次電池Ｂ１、Ｂ２の出力電圧ＶＢ１、ＶＢ２に基づくスイッチＳＷ１、ＳＷ２のオンオフの切り替え状態と、二次電池Ｂ２の充電動作の可否および付加機能部１０９の動作の可否とをまとめた図表である。
【００５５】
先ず、付加機能動作の可否については、二次電池Ｂ２の出力電圧ＶＢ２が下限設定電圧Ｖ２Ｌ未満となってから充電設定電圧Ｖ２Ｈ以上となるまでの期間には、スイッチＳＷ２がオフされて付加機能の動作が許可されない。二次電池Ｂ２の出力電圧ＶＢ２が充電設定電圧Ｖ２Ｈ以上となってから下限設定電圧Ｖ２Ｌ未満となるまでの期間には、スイッチＳＷ２がオンされて付加機能動作が許可される。なお、二次電池Ｂ２の出力電圧ＶＢ２が充電設定電圧Ｖ２Ｈ以上であり、且つ、二次電池Ｂ１の出力電圧ＶＢ１が下限設定電圧Ｖ１Ｌ未満となった場合には、付加機能動作を許可しないこととしてもよい。また、この付加機能の動作可否は、操作部１０８からの操作入力信号に基づきユーザが設定することとしてもよい。また、付加機能動作が許可された状態であっても、操作部１０８からの操作入力信号に基づき付加機能部１０９が動作する期間以外には、スイッチＳＷ２をオンしないこととしてもよい。
【００５６】
一方、二次電池Ｂ２の充電動作の可否については、二次電池Ｂ１の出力電圧ＶＢ１が下限設定電圧Ｖ１Ｌ未満となってから充電設定電圧Ｖ１Ｈ以上になるまでの期間には、スイッチＳＷ１がオフされて二次電池Ｂ１による二次電池Ｂ２の充電が禁止される。二次電池Ｂ１の出力電圧ＶＢ１が充電設定電圧Ｖ１Ｈ以上となってから下限設定電圧Ｖ１Ｌ未満となるまでの期間では、更に、二次電池Ｂ２の出力電圧ＶＢ２によってスイッチの切り替えが判断される。即ち、二次電池Ｂ２の出力電圧ＶＢ２が下限設定電圧Ｖ２Ｌ未満の状態から充電設定電圧Ｖ２Ｈ以上となるまでの期間には、スイッチＳＷ１がオンされ、二次電池Ｂ１により二次電池Ｂ２が充電される。また、二次電池Ｂ２の出力電圧ＶＢ２が充電設定電圧Ｖ２Ｈ以上の状態から下限設定電圧Ｖ２Ｌ未満となるまでの期間には、スイッチＳＷ１がオフされ、二次電池Ｂ２の充電が行われない。
【００５７】
図９は、ＬＳＩ１０４のＣＰＵによるスイッチＳＷ１、ＳＷ２の切替制御処理を示したフローチャートである。
【００５８】
ＬＳＩ１０４のＣＰＵによるこのスイッチ切替制御処理は、電源投入時に自動的に開始され、ＬＳＩ１０４が動作し続ける間には、継続的に実行される処理である。
【００５９】
スイッチ切替制御処理が開始されると、ＣＰＵは、先ず、ＢＬＤ１３からの入力信号に基づいて二次電池Ｂ２の出力電圧ＶＢ２が下限設定電圧Ｖ２Ｌ未満であるか否かを判別する（ステップＳ２１）。二次電池Ｂ２の出力電圧ＶＢ２が下限設定電圧Ｖ２Ｌ未満であると判別された場合には、ステップＳ２３へ移行し、ＣＰＵは、スイッチＳＷ２にローレベルのスイッチ制御信号を送ってスイッチＳＷ２をオフとする。そして、ＣＰＵは、付加機能動作禁止状態に設定する（ステップＳ２４）。この状態設定は、例えば、フラグを設けてＬＳＩ１０４のＲＡＭに記憶させておくことによって実行される。その後、ＣＰＵの処理は、ステップＳ３１へ移行する。
【００６０】
一方、二次電池Ｂ２の出力電圧ＶＢ２が下限設定電圧Ｖ２Ｌ以上であると判別された場合には、ＣＰＵの処理は、ステップＳ２２へ移行し、続いて、ＣＰＵは、二次電池Ｂ２の出力電圧ＶＢ２が充電設定電圧Ｖ２Ｈ以上であるか否かを判別する。二次電池Ｂ２の出力電圧ＶＢ２が充電設定電圧Ｖ２Ｈ以上であると判別された場合には、ＣＰＵは、スイッチＳＷ１にローレベルのスイッチ制御信号を送ってスイッチＳＷ１をオフとする（ステップＳ２５）とともに、付加機能動作可能状態に設定する（ステップＳ２６）。それから、ＣＰＵは、スイッチＳＷ２にハイレベルのスイッチ制御信号を送ってスイッチＳＷ２をオンする（ステップＳ２７）。そして、ＣＰＵの処理は、ステップＳ３１へ移行する。
【００６１】
ステップＳ２２の判別処理で、二次電池Ｂ２の出力電圧ＶＢ２が充電設定電圧Ｖ２Ｈ未満であると判別された場合には、ＣＰＵの処理は、そのままステップＳ３１へ移行する。
【００６２】
ＣＰＵの処理がステップＳ３１へ移行すると、ＣＰＵは、二次電池Ｂ１の出力電圧ＶＢ１が下限設定電圧Ｖ１Ｌ未満であるか否かを判別する。二次電池Ｂ１の出力電圧ＶＢ１が下限設定電圧Ｖ１Ｌ未満であると判別された場合には、ＣＰＵは、スイッチＳＷ１にローレベルのスイッチ制御信号を送ってスイッチＳＷ１をオフさせる（ステップＳ３３）とともに、二次電池Ｂ２への充電禁止状態に設定する（ステップＳ３４）。それから、ＣＰＵの処理は、ステップＳ２１に戻る。
【００６３】
一方、二次電池Ｂ１の出力電圧ＶＢ１が下限設定電圧Ｖ１Ｌ未満ではないと判別された場合には、ＣＰＵは、続いて、二次電池Ｂ１の出力電圧ＶＢ１が充電設定電圧Ｖ１Ｈ以上であるか否かを判別する（ステップＳ３２）。二次電池Ｂ１の出力電圧ＶＢ１が充電設定電圧Ｖ１Ｈ以上であると判別された場合には、ＣＰＵは、二次電池Ｂ２への充電可能状態に設定し（ステップＳ３５）、それからステップＳ３６の処理に移行する。二次電池Ｂ１の出力電圧ＶＢ１が充電設定電圧Ｖ１Ｈ以上ではないと判別された場合には、ＣＰＵの処理は、そのままステップＳ３６へ移行する。
【００６４】
ステップＳ３６の処理に移行すると、ＣＰＵは、二次電池Ｂ２への充電可能状態であり、且つ、付加機能動作禁止状態であるか、否かを判別する。二次電池Ｂ２への充電可能状態であり、且つ、付加機能動作禁止状態でもあると判別された場合には、ＣＰＵはスイッチＳＷ１にハイレベルのスイッチ制御信号を送ってスイッチＳＷ１をオンさせる（ステップＳ３７）。それから、ＣＰＵの処理はステップＳ２１に戻る。二次電池Ｂ２への充電可能状態ではないか、または、付加機能動作禁止状態ではないと判別された場合には、ＣＰＵの処理は、そのままステップＳ２１に戻る。
【００６５】
以上のように、本発明の電源装置の実施形態としての電源部１１０によれば、
二次電池Ｂ１と、二次電池Ｂ１に電力を供給するソーラセル１１と、二次電池Ｂ１より大電力での電力供給が可能な二次電池Ｂ２と、二次電池Ｂ１、Ｂ２の出力電圧をそれぞれ計測するＢＬＤ１２、１３と、二次電池Ｂ１から二次電池Ｂ２への電力供給のオンオフを切り替えるスイッチＳＷ１と、二次電池Ｂ２による電力供給のオンオフを切り替えるスイッチＳＷ２と、ＢＬＤ１２、１３による計測結果に基づいてスイッチＳＷ１、ＳＷ２の切り替えを制御するＬＳＩ１０４と、を備え、ＬＳＩ１０４は、ＢＬＤ１２により二次電池Ｂ１の出力電圧が下限設定電圧Ｖ１Ｌ未満であることが検出された場合、及び、ＢＬＤ１３により二次電池Ｂ２の出力電圧が充電設定電圧Ｖ２Ｈ以上であることが検出された場合には、スイッチＳＷ１をオフして二次電池Ｂ２への電力供給を禁止し、二次電池Ｂ２の出力電圧が下限設定電圧Ｖ２Ｌ未満であることがＢＬＤ１３により検出された場合には、スイッチＳＷ２をオフとして電力供給を禁止する構成となっているので、二次電池Ｂ２から負荷の大きい機能部に大電力を出力する場合でも、二次電池Ｂ１からの出力を安定的に継続することができる。また、二次電池Ｂ１に十分蓄電されている期間にのみ二次電池Ｂ２の充電を行うので、二次電池Ｂ１の出力電力が確保される。
【００６６】
また、二次電池Ｂ２の出力電圧ＶＢ２が付加機能部における最低限の動作単位が実行可能な電圧Ｖ２Ｌ未満の場合には、二次電池Ｂ２からの電力供給を禁止するので、二次電池Ｂ２の動作可能期間の動作も確実に行わせることができる。
【００６７】
また、ＬＳＩ１０４は、ＢＬＤ１２が計測した二次電池Ｂ１の出力電圧ＶＢ１が下限設定電圧Ｖ１Ｌ未満となった場合には、その後出力電圧ＶＢ１が充電設定電圧Ｖ１Ｈ以上となるまでの間、スイッチＳＷ１をオフとすることで、二次電池Ｂ２の充電を行わないので、二次電池Ｂ１の出力電圧ＶＢ１を下限設定電圧Ｖ１Ｌから速やかに回復させることができる。
【００６８】
また、ＬＳＩ１０４は、ＢＬＤ１３が計測した二次電池Ｂ２の出力電圧ＶＢ２が下限設定電圧Ｖ２Ｌ未満となった場合には、その後出力電圧ＶＢ２が充電設定電圧Ｖ２Ｈ以上となるまでの間スイッチＳＷ２をオフとすることで二次電池Ｂ２による電力供給を行わせないので、二次電池Ｂ２の出力電圧を速やかに回復させることができるとともに、二次電池Ｂ２の出力電圧ＶＢ２が十分に回復した後に、二次電池Ｂ２から供給された電力により付加機能を確実に実行することができる。
【００６９】
また、二次電池Ｂ２にシート状の薄膜電池（ペーパー電池）を利用することで、短時間実行するだけの付加機能に対して電源部１１０の占める容積を増大させることなく対応させることができるので、電源部１１０を搭載する電子時計１００などの携帯機器のサイズを大型化せずに負荷の大きい付加機能を実行させることができる。
【００７０】
また、二次電池Ｂ１の出力電圧ＶＢ１をチャージポンプ回路によって昇圧させる電圧変換部１４を備えているので、小型且つ簡易な回路構成で昇圧を行うことができる。また、二次電池Ｂ１、Ｂ２の電気容量と比較して同じ電圧でキャパシタＣ２、Ｃ３に蓄電される電気量は小さいので、突入電流などにより二次電池Ｂ１、Ｂ２に大きな負荷を与えずに少しずつ二次電池Ｂ２を充電することができる。
【００７１】
また、電圧変換部１４により、二次電池Ｂ１から供給される出力電圧ＶＢ１を昇圧し、電圧変換部１５により、二次電池Ｂ２から供給される出力電圧ＶＢ２を降圧するので、二次電池Ｂ１として従来アナログ電子時計で用いられている２．３Ｖ系の出力電圧を持つリチウムイオン電池を利用し、二次電池Ｂ２として負荷特性の良好な４．１Ｖ系の出力電圧を持つ薄膜リチウム電池を利用することで、従来のアナログ電子時計の内部構成や構造に大きな変更を加えることなく負荷の大きい付加機能を実行可能とすることができる。
【００７２】
また、上記のような電源部１１０をアナログの電子時計１００に搭載することで、電子時計１００を大型化することなく、時計動作を安定的且つ継続的に実行しながらＧＰＳ測位機能のような負荷の大きい付加機能を実行させることができる。
【００７３】
なお、本発明は、上記実施の形態に限られるものではなく、様々な変更が可能である。
例えば、上記実施の形態では、ソーラセルを用いて太陽光発電により二次電池Ｂ１に電力を供給したが、これに限られない。例えば、振動による発電などの他の発電手段を用いることとしてもよい。
【００７４】
また、上記実施の形態の電源部１１０では、二次電池Ｂ１により二次電池Ｂ２を充電する際に電圧変換部１４により昇圧させ、二次電池Ｂ２から電力を供給させる際に電圧変換部１５により降圧させたが、出力電圧に適合した出力電圧の二次電池Ｂ２が利用可能な場合には、電圧変換部１５は不要である。また、電圧変換部１４は、降圧に用いることとしてもよい。また、二次電池Ｂ１の出力電圧ＶＢ１、二次電池Ｂ２の出力電圧ＶＢ２、付加機能部１０９の入力電圧が何れも等しい場合には、電圧変換部１４において電圧の変換を行う必要はない。この場合、電圧変換部１４を含まないこととしてもよいし、２個のスイッチとキャパシタとを用いて少量ずつ二次電池Ｂ２を充電する構成としてもよい。
【００７５】
また、上記実施の形態では、時計動作用のＬＳＩ１０４を用いて電源部１１０のスイッチを制御したが、電源部１１０に用いられる独立の制御部を備えることとしてもよい。
【００７６】
また、上記実施の形態では、アナログ指針式の電子時計１００に搭載された電源部１１０を例に挙げて説明したが、電源部１１０を搭載する携帯機器は、電子時計１００に限られない。例えば、同様の指針駆動機構を備えた電子コンパスや電子高度計であってもよいし、デジタル式の電子時計や歩数計などに用いることとしてもよい。
【００７７】
また、付加機能部１０９の機能としてＧＰＳ測位機能を例に挙げたが、これに限られない。他の無線通信送受信機能に利用することも可能であるし、種々の演算機能を実行させることもできる。
その他、上記実施の形態で示した具体的な構成や数値などの細部は、本発明の趣旨を逸脱しない範囲において適宜変更可能である。
【００７８】
上記のように、本発明のいくつかの実施形態を説明したが、本発明の電源装置および電子時計は、特許請求の範囲に記載された発明とその均等の範囲に含まれる。以下に、本願出願の当初の特許請求の範囲に記載された発明を付記する。
【００７９】
第１の発明は、
所定の電圧で電力を供給可能な低負荷用二次電池と、
前記低負荷用二次電池に電力を供給する発電手段と、
前記低負荷用二次電池より大電力での電力供給が可能な高負荷用二次電池と、
前記低負荷用二次電池の出力電圧と、前記高負荷用二次電池の出力電圧とを計測する電圧検出手段と、
前記低負荷用二次電池から前記高負荷用二次電池への電力供給のオンオフを切り替える第１切替手段と、
前記高負荷用二次電池による電力供給のオンオフを切り替える第２切替手段と、
前記電圧検出手段による計測結果に基づいて、前記第１切替手段及び前記第２切替手段を制御する制御手段と、
を備え、
前記制御手段は、
前記電圧検出手段により、前記低負荷用二次電池の出力電圧が予め定められた低負荷下限電圧未満であることが検出された場合、及び、前記高負荷用二次電池の出力電圧が予め定められた高負荷設定電圧以上であることが検出された場合には、前記第１切替手段をオフとし、
前記高負荷用二次電池の出力電圧が前記高負荷設定電圧以下に予め定められた高負荷下限電圧未満であることが前記電圧検出手段により検出された場合には、前記第２切替手段をオフとする
ことを特徴とする電源装置である。
【００８０】
第２の発明は、第１の発明の電源装置において、
前記制御手段は、
前記低負荷用二次電池の出力電圧が前記低負荷下限電圧未満であることが前記電圧検出手段により検出された場合には、当該出力電圧が前記低負荷下限電圧以上に予め定められた低負荷設定電圧以上の値になるまでの間、前記第１切替手段をオフとする
ことを特徴としている。
【００８１】
第３の発明は、第１の発明又は第２の発明の電源装置において、
前記制御手段は、
前記高負荷用二次電池の出力電圧が前記高負荷下限電圧未満であることが前記電圧検出手段により検出された場合には、当該出力電圧が前記高負荷設定電圧以上の値になるまでの間、前記第２切替手段をオフとする
ことを特徴としている。
【００８２】
第４の発明は、第１〜第３の発明の何れか一つの電源装置において、
前記高負荷用二次電池としては、シート状のものが用いられる
ことを特徴としている。
【００８３】
第５の発明は、第１〜第４の発明の何れか一つの電源装置において、
前記低負荷用二次電池の出力電圧をチャージポンプ回路により昇圧する昇圧手段を備える
ことを特徴としている。
【００８４】
第６の発明は、第５の発明の電源装置において、
前記高負荷用二次電池の出力電圧を降圧する降圧手段を備える
ことを特徴としている。
【００８５】
第７の発明は、
第１〜第６の発明の何れか一つの電源装置と、
時刻を計数する計時手段と、
回動可能な複数の指針と、
当該複数の指針を駆動する駆動手段と、
前記高負荷用二次電池から供給される電力により所定の動作を行う付加機能部と、
を備え、
前記制御手段は、前記低負荷用二次電池から供給される電力により動作し、前記計時手段の計数する時刻データに基づいて、前記駆動手段を動作させる
ことを特徴とする電子時計である。
【符号の説明】
【００８６】
１１   ソーラセル
１２、１３    ＢＬＤ
１４、１５    電圧変換部
１００ 電子時計
１０１ 発振回路
１０２ 分周回路
１０３ 計時回路
１０４ ＬＳＩ（時計制御部）
１０５ 駆動部
１０６ 輪列機構
１０７ 指針
１０８ 操作部
１０９ 付加機能部
１１０ 電源部
Ｂ１、Ｂ２    二次電池
Ｃ１、Ｃ２、Ｃ３     キャパシタ
Ｄ１   逆流防止ダイオード
Ｒ２〜Ｒ６    抵抗
ＳＷ１〜ＳＷ６       スイッチ
Ｖ１Ｈ、Ｖ２Ｈ       充電設定電圧
Ｖ１Ｌ、Ｖ２Ｌ       下限設定電圧
【図１】
0005707946.tif 000002
【図２】
0005707946.tif 000003
【図３】
0005707946.tif 000004
【図４】
0005707946.tif 000005
【図５】
0005707946.tif 000006
【図６】
0005707946.tif 000007
【図７】
0005707946.tif 000008
【図８】
0005707946.tif 000009
【図９】
0005707946.tif 000010